(57)【特許請求の範囲】
【請求項１】
縞のピッチをラインピッチとし、各縞の長手方向の各ピッチ毎に、各縞の短手方向に前記ラインピッチより短いピッチでずれるように構成される縞パターンにより光を選択的に透過させて、レンティキュラーレンズに照射し、その透過光の状態を撮像することにより、前記レンティキュラーレンズのＭＴＦを測定する方法において、前記縞パターンと前記レンティキュラーレンズを近接させるか、あるいは至近距離に配したことを特徴とするレンティキュラーレンズのＭＴＦ測定方法。
【請求項２】
前記縞パターンの縞のピッチをラインピッチとするとき、各縞の長手方向の所定ピッチ毎に、各縞の短手方向に前記ラインピッチより短い所定のピッチでずれるよう前記縞パターンが構成され、かつ前記撮像を行う撮像手段を、前記短手方向に直交する方向に移動させ、移動する度に撮像することを特徴とする請求項１記載のレンティキュラーレンズのＭＴＦ測定方法。
【請求項３】
前記ラインピッチより短い所定のピッチが前記ラインピッチの１／５から１／１０であることを特徴とする請求項２記載のレンティキュラーレンズのＭＴＦ測定方法。
【請求項４】
Ｘ方向に所定のラインピッチで繰り返される光透過部分と光不透過部分の縞パターンであって、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンを測定対象のレンティキュラーレンズに近接して配置するステップと、  光源から前記縞パターンを介して前記レンティキュラーレンズに光線を照射するステップと、  前記光線が前記縞パターンを介して前記レンティキュラーレンズを透過するときの透過光による画像を撮像手段にて撮像するステップと、  前記撮像手段にて撮像された画像データを取り込み、ＭＴＦの計算をするステップと、  前記ＭＴＦの計算結果の第１成分を格納するステップと、
前記撮像手段を前記Ｘ方向及びＹ方向に直交するＺ方向に所定ピッチだけ移動させるステップと、  前記撮像するステップと、前記ＭＴＦの計算をするステップと、前記第１成分を格納するステップを、前記Ｚ方向への前記撮像手段の前記所定ピッチ移動毎に所定回数繰り返すステップと、
前記撮像手段の前記Ｚ方向位置を元の位置にイニシャライズするステップと、
前記縞パターンと異なるラインピッチの他の縞パターンを前記測定対象のレンティキュラーレンズに近接して配置し、前記縞パターンについて行った前記各ステップを繰り返すステップと、  前記他の縞パターンを用いた測定を順次異なるラインピッチの他の縞パターンに変更して繰り返すステップとを、
有するレンティキュラーレンズのＭＴＦ測定方法。
【請求項５】
複数の前記異なるラインピッチの縞パターンによる測定結果を用いて、各空間周波数毎のレスポンスの最大値と最小値をグラフ上にプロットするステップを更に有する請求項４記載のレンティキュラーレンズのＭＴＦ測定方法。
【請求項６】
所定の光線を発光する光源と、
Ｘ方向に所定のラインピッチで繰り返される光透過部分と光不透過部分の縞パターンであって、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンを測定対象のレンティキュラーレンズに近接する配置手段と、
前記光線が前記縞パターンを介して前記レンティキュラーレンズを透過するときの透過光による画像を撮像する撮像手段と、
前記撮像手段にて撮像された画像データを取り込み、ＭＴＦの計算をし、その第１成分を得る演算手段と、
前記第１成分を格納する記憶手段と、
前記撮像手段を前記Ｘ方向及びＹ方向に直交するＺ方向に所定ピッチだけ移動させる手段と、
前記縞パターンを他の縞パターンに変更する手段と、
前記移動させる手段と前記他の縞パターンに変更する手段をそれぞれ制御する手段とを、
有するレンティキュラーレンズのＭＴＦ測定装置。
【請求項７】
Ｘ方向に所定のラインピッチで繰り返される光透過部分と光不透過部分の縞パターンであって、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンを測定対象のレンティキュラーレンズに近接して配置し、光源から前記縞パターンを介して前記レンティキュラーレンズに光線を照射しておき、
前記光線が前記縞パターンを介して前記レンティキュラーレンズを透過するときの透過光による画像を撮像手段にて撮像するステップと、
前記撮像手段にて撮像された画像データを取り込み、ＭＴＦの計算をするステップと、
前記ＭＴＦの計算結果の第１成分を格納するステップと、
前記撮像手段を前記Ｘ方向及びＹ方向に直交するＺ方向に所定ピッチだけ移動させるステップと、
前記撮像するステップと、前記ＭＴＦの計算をするステップと、前記第１成分を格納するステップを、前記Ｚ方向への前記撮像手段の前記所定ピッチ移動毎に所定回数繰り返すステップと、
前記撮像手段の前記Ｚ方向位置を元の位置にイニシャライズするステップと、
前記縞パターンと異なるラインピッチの他の縞パターンを前記測定対象のレンティキュラーレンズに近接して配置し、前記縞パターンについて行った前記各ステップを繰り返すステップと、
前記他の縞パターンを用いた測定を順次異なるラインピッチの他の縞パターンに変更して繰り返すステップとを、
実行するためのプログラムが、コンピュータにより読み取り可能な状態で格納された記録媒体。
【請求項８】
レンティキュラーレンズのＭＴＦ測定方法に用いる光選択透過パターンであって、Ｘ方向に所定のラインピッチで繰り返される光透過部分と光不透過部分を有し、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターン。
【発明の詳細な説明】
【０００１】
【発明の属する技術分野】
本発明は、レンティキュラーレンズの評価方法及びこれに用いる装置に関し、特にレンティキュラーレンズの空間周波数特性であるＭＴＦ（Modulation Transfer Function）の測定方法、測定装置並びに測定方法を実行するプログラムの記録された記録媒体、レンティキュラーレンズのＭＴＦ測定方法に用いる縞パターンに関する。
【０００２】
【従来の技術】
レンティキュラーレンズは、リアプロジェクションテレビジョン用のスクリーンなどに用いられ、その透過光を拡散させて画像を表示するため用いられる。かかるレンティキュラーレンズは、複数の断面形状が凹凸となるストライプを有している。かかるレンティキュラーレンズを評価するために、そのＭＴＦを測定する方法は、これまで確立されていない。従来から、テレビ画面やカメラレンズのＭＴＦを測定する方法は種々提案されている。すなわち、ブラウン管の空間周波数特性の測定方式として特開昭４９−１３０２３６号公報、受像管の空間周波数特性測定装置として特公昭５７−４１０５８号公報、視覚系の空間周波数特性測定装置として特公平１−４６１４２号公報、レンズのＭＴＦ測定装置として特開平３−２２５２４９号公報、ディスプレイの解像度測定装置として特開平７−１６８５４３号公報、ＯＴＦ（オプティカル・トランスファー・フアンクション）測定装置として特公昭５２−４９９６８号公報が知られている。
【０００３】
【発明が解決しようとする課題】
しかしながら、これら従来のＭＴＦ測定装置あるいはＭＴＦ測定方法をレンティキュラーレンズのＭＴＦの測定に応用しようとすると、次のような問題がある。すなわち、受像管であるＣＲＴに表示された画像をビデオカメラなどで撮像する方法では、ＮＴＳＣなど所定のテレビ信号形式による画像を同じ形式の撮像手段で取り込むので、ＮＴＳＣより走査線の多いハイビジョンや、その他のＨＤ（ハイディフィニション）テレビ方式用に用意されたレンティキュラーレンズの特性を評価するために応用することができない。すなわち、現在の標準テレビ方式であるＮＴＳＣより走査線、画素数の多い高精細な画像映写システム用のレンティキュラーレンズを評価するためには、画像を表示する手段と、撮像する手段の性能をこれに見合うものにグレードアップする必要があり、装置が高額化し、現実的でない。
【０００４】
また、カメラレンズのように単一のレンズ体を測定するための方法で、スリットを用いる場合、これをレンティキュラーレンズに適用しようとしても、レンティキュラーレンズは、断面が凹凸のストライプ形状の繰り返しであるため、スリットの配置される位置により透過光量が大きく変化し、測定誤差が大きく、精密な測定を行うことには適していない。
【０００５】
また、レンティキュラーレンズを評価するために、光源の近くに縞や格子のパターンを配置して、光を選択的にレンティキュラーレンズに照射し、その透過光をカメラで撮像する方法では、パターンと被測定物であるレンティキュラーレンズが離れているため、完全に平行でない光源からの光線が縞や格子のエッジで回折し、レンティキュラーレンズに対して斜方向から入射したり、フォーカスが十分でなくなり、レンティキュラーレンズ上での縞や格子のエッジ部の像がぼけたり、ずれたりすることがあり、精密な測定が困難である。
【０００６】
したがって、本発明は高精細画像用レンティキュラーレンズのＭＴＦを正確かつ簡単に測定することができるレンティキュラーレンズのＭＴＦ測定方法、及びＭＴＦ測定装置並びにかかる測定方法を実行するプログラムの記録された記録媒体を提供することを目的とする。
【０００７】
【課題を解決するための手段】
上記目的を達成するため、本発明では縞パターンを光源から離して、レンティキュラーレンズに近接して配置するようにし、光源からの透過光を撮像してＭＴＦを測定するようにしている。
【０００８】
すなわち本発明によれば、所定の縞パターンにより光を選択的に透過させて、レンティキュラーレンズに照射し、その透過光の状態を撮像することにより、前記レンティキュラーレンズのＭＴＦを測定する方法において、前記縞パターンと前記レンティキュラーレンズを近接させるか、あるいは至近距離に配したことを特徴とするレンティキュラーレンズのＭＴＦ測定方法が提供される。なお、縞パターンの縞のピッチをラインピッチとするとき、各縞の長手方向の所定ピッチ毎に、各縞の短手方向に前記ラインピッチより短い所定のピッチでずれるよう前記縞パターンが構成され、かつ前記撮像を行う撮像手段を、前記短手方向に直交する方向に移動させ、移動する度に撮像することは本発明の好ましい態様である。
【０００９】
また本発明によれば、Ｘ方向に所定のラインピッチで繰り返される光透過部分と光不透過部分の縞パターンであって、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンを測定対象のレンティキュラーレンズに近接して配置するステップと、
光源から前記縞パターンを介して前記レンティキュラーレンズに光線を照射するステップと、
前記光線が前記縞パターンを介して前記レンティキュラーレンズを透過するときの透過光による画像を撮像手段にて撮像するステップと、
前記撮像手段にて撮像された画像データを取り込み、ＭＴＦの計算をするステップと、
前記ＭＴＦの計算結果の第１成分を格納するステップと、
前記撮像手段を前記Ｘ方向及びＹ方向に直交するＺ方向に所定ピッチだけ移動させるステップと、
前記撮像するステップと、前記ＭＴＦの計算をするステップと、前記第１成分を格納するステップを、前記Ｚ方向への前記撮像手段の前記所定ピッチ移動毎に所定回数繰り返すステップと、
前記撮像手段の前記Ｚ方向位置を元の位置にイニシャライズするステップと、
前記縞パターンと異なるラインピッチの他の縞パターンを前記測定対象のレンティキュラーレンズに近接して配置し、前記縞パターンについて行った前記各ステップを繰り返すステップと、
前記他の縞パターンを用いた測定を順次異なるラインピッチの他の縞パターンに変更して繰り返すステップとを、
有するレンティキュラーレンズのＭＴＦ測定方法が提供される。なお、複数の前記異なるラインピッチの縞パターンによる測定結果を用いて、各空間周波数毎のレスポンスの最大値と最小値をグラフ上にプロットするステップを更に有することは本発明の好ましい態様である。
【００１０】
また本発明によれば、所定の光線を発光する光源と、
Ｘ方向に所定のラインピッチで繰り返される光透過部分と光不透過部分の縞パターンであって、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンを測定対象のレンティキュラーレンズに近接する配置手段と、
前記光線が前記縞パターンを介して前記レンティキュラーレンズを透過するときの透過光による画像を撮像する撮像手段と、
前記撮像手段にて撮像された画像データを取り込み、ＭＴＦの計算をし、その第１成分を得る演算手段と、
前記第１成分を格納する記憶手段と、
前記撮像手段を前記Ｘ方向及びＹ方向に直交するＺ方向に所定ピッチだけ移動させる手段と、
前記縞パターンを他の縞パターンに変更する手段と、
前記移動させる手段と前記他の縞パターンに変更する手段をそれぞれ制御する手段とを、
有するレンティキュラーレンズのＭＴＦ測定装置が提供される。
【００１１】
また本発明によれば、Ｘ方向に所定のラインピッチで繰り返される光透過部分と光不透過部分の縞パターンであって、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンを測定対象のレンティキュラーレンズに近接して配置し、光源から前記縞パターンを介して前記レンティキュラーレンズに光線を照射しておき、
前記光線が前記縞パターンを介して前記レンティキュラーレンズを透過するときの透過光による画像を撮像手段にて撮像するステップと、
前記撮像手段にて撮像された画像データを取り込み、ＭＴＦの計算をするステップと、
前記ＭＴＦの計算結果の第１成分を格納するステップと、
前記撮像手段を前記Ｘ方向及びＹ方向に直交するＺ方向に所定ピッチだけ移動させるステップと、
前記撮像するステップと、前記ＭＴＦの計算をするステップと、前記第１成分を格納するステップを、前記Ｚ方向への前記撮像手段の前記所定ピッチ移動毎に所定回数繰り返すステップと、
前記撮像手段の前記Ｚ方向位置を元の位置にイニシャライズするステップと、
前記縞パターンと異なるラインピッチの他の縞パターンを前記測定対象のレンティキュラーレンズに近接して配置し、前記縞パターンについて行った前記各ステップを繰り返すステップと、
前記他の縞パターンを用いた測定を順次異なるラインピッチの他の縞パターンに変更して繰り返すステップとを、
実行するためのプログラムが、コンピュータにより読み取り可能な状態で格納された記録媒体が提供される。
【００１２】
さらに本発明によれば、レンティキュラーレンズのＭＴＦ測定方法に用いる光選択透過パターンであって、Ｘ方向に所定のラインピッチで繰り返される光透過部分と光不透過部分を有し、かつ前記縞パターンを構成する光透過部分と光不透過部分が前記Ｘ方向と直交する方向であるＹ方向の所定ピッチ毎に前記Ｘ方向に前記ラインピッチより短い所定のピッチでずれるよう構成された縞パターンが提供される。
【００１３】
【発明の実施の形態】
以下、図面を参照して本発明の好ましい実施の形態について説明する。図１は本発明に係るレンティキュラーレンズのＭＴＦ測定装置の好ましい実施の形態の模式的ブロック図である。光源１２は所定の光線Ｒ１を発光し、Ｘ軸ステージ１０上の縞パターンと測定対象であるレンティキュラーレンズに照射され、その透過光Ｒ２がレンズ５０を介して撮像手段としてのラインイメージセンサカメラ（単にカメラという）１６に入射する。カメラ１６はＺ軸ステージ１４によりＺ軸方向、すなわち垂直方向に移動可能である。なお、Ｘ軸ステージ１０は保持板２４をＸ軸方向、すなわち図１の紙面に垂直な方向に移動可能である。Ｘ軸ステージ１０とＺ軸ステージ１４は、自動ステージコントロールユニット５２によりその動作が制御されるが、自動ステージコントロールユニット５２はコンピュータ５４により制御され、後述する測定のステップに従ってカメラ１６がＺ軸方向に移動し、また保持板２４がＸ軸方向に移動することとなる。コンピュータ５４は、カメラ１６の画像取り込み動作をも制御し、かつその出力信号を取り込み、データ処理を行って、求めるＭＴＦを計算し、必要に応じてディスプレイ５６に表や、グラフで表示する。５８は、オペレータが所望の命令を入力するためのキーボードである。
【００１４】
図２は、図１中の、光源１２、Ｘ軸ステージ１０上の構成部分、Ｚ軸ステージ１４上の構成部分を示す斜視図である。Ｘ軸ステージ１０は基台１８の上に固定された駆動ユニット２０と、可動な従動ユニット２２を有し、従動ユニット２２はシャフト３０により駆動ユニット２０に連結され、駆動ユニット２０内の図示省略のモータにより図中矢印Ｘで示すＸ軸方向に移動可能である。従動ユニット２２はロッド３４により保持板２４を支持しており、従動ユニット２２のＸ軸方向の移動により、保持板２４がＸ軸方向に移動可能である。保持板２４には後述するように複数の縞パターン６０が取り付けられる。なお、保持板２４は駆動ユニット２０から上方へ伸長するもう１つのロッド３２に固定される保持板受け部３３に案内され、その溝内を滑走可能とされている。もう１つの保持板２６は駆動ユニット２０上にロッド２５にて固定的に保持されている。保持板２６には測定対象のレンティキュラーレンズ６４が取り付けられる（図３参照）。
【００１５】
Ｚ軸ステージ１４は駆動部４２を有し、その上には、パンタグラフ形状の昇降器４４と、駆動軸４６が設けられ、これらの上にカメラ１６が取り付けられている。駆動軸４６は駆動部４２内の図示省略のモータにより昇降可能である。駆動軸４６の昇降に伴い昇降器４４の菱形形状が変化し、カメラ１６がＺ軸方向、すなわち上下に移動可能である。カメラ１６は図８に示すように、レンズ５０の焦点位置にＸ軸方向、すなわち水平方向に素子が並んだＣＣＤラインイメージセンサ１７を有している。このＣＣＤラインイメージセンサ１７は、２０４８画素を有している。
【００１６】
図３は、保持板２６に取り付けられるレンティキュラーレンズ６４の取り付けのための構造を示す図である。なお、縞パターン６０は、透明合成樹脂板からなる保持板２４の保持板２６側に接着テープなどにより貼り付けて固定される。保持板２６は、図３のＡに示すように金属製の枠状の構造をしていて、中央に四角な貫通孔２６Ａがある。Ｂは正面から見た断面図であり、Ｃは側面から見た断面図である。またＤは平面図である。なお、Ａ、Ｂではレンティキュラーレンズ６４を取り付ける前の空の状態が、Ｃ、Ｄではレンティキュラーレンズ６４が取り付けられ、２本の板バネ２７Ｃ、２７Ｄで壁面に押圧されてレンティキュラーレンズ６４が保持されている様子が示されている。Ｄに示されているように、保持板２６の上部には開口部２６Ｂが設けられ、前述の貫通孔２６Ａと連通している。レンティキュラーレンズ６４は、この上部の開口部２６Ｂから挿入される。なお、Ｃに示されるように、レンティキュラーレンズ６４は保持板２６の一方の内壁に板バネ２７Ｃ、２７Ｄで押圧されているが、図Ｃの右側の面が縞パターン６０側に配され、縞パターン６０とレンティキュラーレンズ６４とは近接して配されることとなる。
【００１７】
図４は本発明に用いる縞パターン６０の一例を示す平面図である。黒く示されている部分は光を透過させない部分で、白く示されている部分は光を透過させる透明部分である。なお、この縞パターン６０は、合成樹脂フィルム上に金属を蒸着させることにより製造される。また、かかる金属蒸着を行うために、フォトエッチング法が用いられ、黒白、すなわち光不透過部と透過部の境目のエッジ部にぶれがないよう構成されている。黒の縞の間の白の縞は、各黒の縞と同一の太さ（幅）であり、図４の横方向すなわち、縞の短手方向がＸ軸方向である。黒の縞と白の縞の幅の合計がラインピッチである。ラインピッチの逆数が空間周波数（ｌｐ／ｍｍ）である。
【００１８】
各黒の縞の長手方向（Ｙ軸方向）の所定ピッチ毎に、所定ピッチでＸ軸方向に黒い縞がずれる形で構成されている。この例では、ラインピッチの１／１０だけずれている。すなわち、各縞は階段上あるいは鋸歯状に構成されている。このように構成される縞パターン６０がラインピッチの異なる複数枚用意される。なお、このずれは、ラインピッチの１／１０に限定されるものではなく、ラインピッチの１／５から１／１０の範囲で良好な結果を得ることができる。図６は異なるラインピッチの２０枚の縞パターン６０を示す図であり、図５は、これらのラインピッチを模式的に示す図である。図５と図６の対応関係から、例えば、図６中、左から２行目の一番下列の縞パターンのラインピッチは、３０００μｍであることがわかる。なお、図６の右側の２行は不鮮明なものもあるので、その拡大写真を図１１〜図１５に示している。
【００１９】
図７は、図１に示したコンピュータ５４におけるＣＰＵ（中央演算処理装置）の動作を説明するためのフローチャートである。このフローチャートに示される各動作を行うよう、所定のプログラムがコンピュータにより読み取れる状態でＲＯＭなどの記憶装置にあらかじめ格納されている。なお、このプログラムは、ＦＤやＣＤ−ＲＯＭなどにあらかじめ格納しておいて、必要に応じて読み込んで用いてもよい。
【００２０】
いま、複数の縞パターン６０が保持板２４に取り付けられ、測定対象の１つのレンティキュラーレンズ６４が保持板２６に取り付けられていて、図８に示すように１つの縞パターン６０がレンティキュラーレンズ６４に近接して配されているものとする。なお、縞パターン６０の縞のＺ軸方向（略長手方向）がレンティキュラーレンズ６４のレンズのストライプ方向と一致するように配置されるが、図８は、この関係を示すために、縞パターン６０とレンティキュラーレンズ６４がやや離れて示されているのであって、実際は、図１〜図３からわかるように、両者は、例えば０．５ｍｍ程度の間隔で近接して配置されている。また、縞パターン６０は、図４に示すように透明合成樹脂板の周辺部にパターンの設けられていない余白部を有しているが、図８では、余白部を省略している。光源１２からの光線Ｒ１が図１、図８に示すように、１つの縞パターン６０を介してレンティキュラーレンズ６４に照射され、その透過光による像をカメラ１６のＣＣＤラインイメージセンサ１７が撮像しているものとする。この状態での本発明におけるＭＴＦ測定の手法について説明する。なお、ＭＴＦ測定に先立ち、レンティキュラーレンズ６４を取り付けない状態、すなわち縞パターン６０のみを透過させた状態で以下に説明するＭＴＦ測定のときと同様に画像データを取り込み、あらかじめ基準データを作りメモリに格納しておく。
【００２１】
まずステップＳ１で、所定のイニシャライズを行い、Ｘ軸ステージ１０、Ｚ軸ステージ１４を所定のスタート位置にリセットし、またメモリをクリアして画像データや計算結果などを消去する。次いでステップＳ２で、図８に示すようにカメラ１６のＣＣＤラインイメージセンサ１７の２０４８画素から２０４８の画素データを読み込み、この内、図１６の波形図に示すように中心付近の５１２画素のデータを画像データとして取り込む。次いでステップＳ３でこの画像データを用いてＦＦＴ（高速フーリエ変換）演算を行い、図１７に示すＦＦＴ演算結果から、その第１成分の絶対値を抽出して１つのデータとしてメモリに格納する。次いでステップＳ４にて第１成分のデータと、先の基準データ、すなわち測定対象のレンティキュラーレンズ６４を透過させないで、縞パターン６０のみの透過データによる基準データとを用いて、求めるＭＴＦを得る。このＭＴＦの演算は、
【００２２】
【数１】
ＭＴＦsf1-1 ＝（レンティキュラーレンズ＋縞パターン）の第１成分のデータ／縞パターンの第１成分のデータ
【００２３】
の式による。ＭＴＦの添え字中、”sf1”は第１番目の空間周波数に関するデータであることを、最後の”1”はＺ軸方向の１回目の測定であることを示している。すなわち、レンティキュラーレンズ６４を装填しない状態で、縞パターン６０のみを用いて第１成分をまず得ておき、その後レンティキュラーレンズ６４と縞パターン６０を重ねた状態で第１成分を同様に得て、これらの比を計算してＭＴＦを得るのである。次いでステップＳ５でＺ軸ステージ１４を駆動してカメラ１６をＺ軸方向に１ピッチ移動させる。ここで１ピッチとは、図４に示す縞パターンのＺ軸方向（縞の略長手方向）の１つのステップをいい、これをラインピッチと区別するために、Ｚ軸ピッチという。なお、縞のラインピッチ方向のずれのピッチを、オフセットピッチという。
【００２４】
次いでステップＳ６で初期値０であるカウント値ｎを１つインクリメントする（ｎは２以上の整数）。ついでステップＳ７で、ｎが１０以上か否かを判断し、１０未満なら、ステップＳ２に戻り、１０以上でステップＳ８へ行く。このｎはカメラ１６をＺ軸方向に１ピッチずつｎ回、すなわちｎピッチだけ移動させるために設定され、この例では、１０回移動する。こうして、ステップＳ２〜ステップＳ６が１０回繰り返し実行されて、１０個の第１成分が１０個のＭＴＦデータとして格納されてからステップＳ８へ行く。ステップＳ８では、Ｚ軸ステージ１４を駆動して、カメラ１６のＺ軸方向の位置を初期位置に戻す（イニシャライズ）。カメラ１６を、Ｚ軸方向に移動させ、移動する度に撮像するのは、縞パターンとレンティキュラーレンズのレンズピッチ方向（Ｘ軸方向）の相対位置を移動しない状態で、あたかも両者の相対位置を移動させた状態を作り出すためである。
【００２５】
次いで、ステップＳ９でＸ軸ステージ１０を駆動して、保持板２４をＸ軸方向に移動させ、次の縞パターンがレンティキュラーレンズ６４に重なるようにする。ステップＳ１０、Ｓ１１はステップＳ６、Ｓ７同様、初期値０であるカウント値ｍが所定値ｐになるまでステップＳ２〜ステップＳ９を繰り返すためのものである。したがって所定値ｐは保持板２６に保持される枚数と同数に設定される。いま、例えば図６に示す縞パターンの縦１行分の５枚の縞パターン６０が保持板２４に保持されているとすると、ｐは５に設定される。
【００２６】
こうして複数枚の縞パターン６０による測定が終了したとき、更に異なるラインピッチの縞パターンでの測定が必要な場合は、保持板２４に必要な縞パターンを取り付け、上記と同様な測定を繰り返すことができる。こうして複数の縞パターン、すなわち複数の異なる空間周波数に対する第１成分を得ることができる。この第１成分のデータと、先の基準データ、すなわち測定対象のレンティキュラーレンズ６４を透過させないで、縞パターン６０のみの透過データによる基準データとを用いて、求めるＭＴＦを得て、グラフ上にプロットすることができる。すなわち、１つの縞パターン６０について上記実施の形態のように１０回測定すると、１つの空間周波数について１０個のＭＴＦが得られるが、これらは、カメラ１６をＺ軸方向に移動させて測定した結果得られたものであるから、レンティキュラーレンズ６４の１つのレンズにおける縞パターンの境界投影位置の差異によるバラツキを含んでいる。したがって、この１０個のデータにより、１つの空間周波数に対応する最大値と最小値を得ることができ、これを複数の空間周波数について得ることにより、図９に示すような最大値Ｙmaxと、最小値Ｙminのそれぞれの曲線がグラフ上に得られる。
【００２７】
なお、レンティキュラーレンズを設計する上でレンティキュラーレンズのＭＴＦデータを測定する場合、上記測定に加えて、直流成分の影響を考慮しての測定、光源の数を変えての測定、更にはレンティキュラーレンズの板厚の相違を考慮した測定、スクリーンゲインを考慮した測定、拡散剤の粒子径を変えての測定などを行うことにより、より現実的なデータを得ることができる。
【００２８】
上記実施の形態では、縞状のパターンを用いているが、かかる縞状パターンを含む格子状パターンであっても同様に用いることができるので、本発明でいう縞パターンとは、格子パターンをも含むものと解釈されるべきである。
【００２９】
【発明の効果】
以上説明したように本発明によれば、光源からの光線を選択的に透過させる縞パターンを光源から離して、レンティキュラーレンズに近接して配置するようにし、光源からの透過光を撮像手段により撮像してＭＴＦを測定しているので、縞のエッジのぼけやフォーカスぼけが生じにくく、精密な測定が可能である。また、縞パターンの縞のピッチをラインピッチとするとき、各縞の長手方向の所定ピッチ毎に、各縞の短手方向にラインピッチより短い所定のピッチでずれるよう縞パターンが構成され、撮像手段を、短手方向に直交する方向（Ｚ軸方向）に移動させ、移動する度に撮像することにより、縞パターンとレンティキュラーレンズのレンズピッチ方向（Ｘ軸方向）の相対位置を移動しない状態で、あたかも両者の相対位置を移動させた状態を作り出すことができ、測定の効率が良いばかりでなく、１つの縞パターンについては、Ｚ軸方向のみに撮像手段を移動させるので、移動による誤差が少なく、よって、理論値に極めて近い最大値と最小値を精度よく得ることができる。
【図面の簡単な説明】
【図１】本発明に係るレンティキュラーレンズのＭＴＦ測定装置の好ましい実施の形態の模式的ブロック図である。
【図２】図１中の主要構成要素を示す斜視図である。
【図３】図１、図２におけるレンティキュラーレンズを保持する保持板の構成を示す図である。
【図４】本発明に用いる縞パターンの一例を示す平面図である。
【図５】図６に示す異なるラインピッチを模式的に示す図である。
【図６】異なるラインピッチの２０枚の縞パターンを示す図である。
【図７】図１に示したコンピュータにおけるＣＰＵ（中央演算処理装置）の動作を説明するためのフローチャートである。
【図８】本発明の実施の形態における縞パターンとレンティキュラーレンズと撮像手段の関係を模式的に示す斜視図である。
【図９】本発明により得られる空間周波数に対するＭＴＦの最大値と最小値の曲線を示すグラフである。
【図１０】従来の技術を応用してレンティキュラーレンズのＭＴＦを測定使用とした場合に予想される各素子の配置概念図である。
【図１１】図６中の一番右側の行の上から一番目を２００倍に拡大した写真である。
【図１２】図６中の一番右側の行の上から二番目を２００倍に拡大した写真である。
【図１３】図６中の一番右側の行の上から三番目を２００倍に拡大した写真である。
【図１４】図６中の一番右側の行の上から四番目を２００倍に拡大した写真である。
【図１５】図６中の一番右側の行の一番下を２００倍に拡大した写真である。
【図１６】図６中の右側から２行目の上から一番目を５０倍に拡大した写真である。
【図１７】図６中の右側から２行目の上から二番目を５０倍に拡大した写真である。
【図１８】図６中の右側から２行目の上から三番目を５０倍に拡大した写真である。
【図１９】図６中の右側から２行目の上から四番目を５０倍に拡大した写真である。
【図２０】図６中の右側から２行目の上から五番目を５０倍に拡大した写真である。
【図２１】図７のフローチャート中、所定数の画素データを取り込む動作を示す波形図である。
【図２２】図７のフローチャート中、図２１の所定数の画素データから第１成分を抽出する手法を示す波形図である。
【符号の説明】
１０  Ｘ軸ステージ
１２  光源
１４  Ｚ軸ステージ
１６  ラインセンサカメラ
１７  ＣＣＤラインイメージセンサ
２４、２６  保持板
５０  レンズ
５２  自動ステージコントロールユニット
５４  コンピュータ
５６  ディスプレイ
５８  キーボード
６０  縞パターン
６４  レンティキュラーレンズ
Ｒ１  光源からの光線
Ｒ２  透過光
【図１】
0003959854.tif 000002
【図２】
0003959854.tif 000003
【図３】
0003959854.tif 000004
【図４】
0003959854.tif 000005
【図５】
0003959854.tif 000006
【図６】
0003959854.tif 000007
【図７】
0003959854.tif 000008
【図８】
0003959854.tif 000009
【図９】
0003959854.tif 000010
【図１０】
0003959854.tif 000011
【図１１】
0003959854.tif 000012
【図１２】
0003959854.tif 000013
【図１３】
0003959854.tif 000014
【図１４】
0003959854.tif 000015
【図１５】
0003959854.tif 000016
【図１６】
0003959854.tif 000017
【図１７】
0003959854.tif 000018
【図１８】
0003959854.tif 000019
【図１９】
0003959854.tif 000020
【図２０】
0003959854.tif 000021
【図２１】
0003959854.tif 000022
【図２２】
0003959854.tif 000023